(57)【要約】  【課題】湿度変動を穏やかにして庫内の湿度を安定させることができ、かつ消費電力を低減させることのできる調湿庫を提供する。  【解決手段】調湿庫１は、庫内１０の湿度が第一のしきい値以上である場合に庫内１０を除湿する除湿ユニット２Ａと、庫内１０の湿度が第一のしきい値より低い第二のしきい値以下である場合に庫内１０を加湿する加湿ユニット２Ｂと、庫内１０に貼り付けられた調湿シート５と、を備えている。調湿シート５は、例えばアクリレート系ポリマー繊維を含む織布あるいは不織布であり、高湿度の吸湿性が高く、かつ周囲湿度が高くなる方向に遷移する場合に吸湿し、低くなる方向に遷移する場合に放湿する特徴を有する。このため、庫内１０の急激な湿度変動が抑制され、庫内１０の湿度変化を緩やかにして、所定範囲（第二のしきい値〜第一のしきい値）内に安定させることができる。【選択図】図１
2015108460.tif 000002
【特許請求の範囲】
【請求項１】
保管品を保管するための庫内の湿度を管理する調湿庫であって、
前記庫内を除湿する除湿手段および前記庫内を加湿する加湿手段の少なくとも一方と、
前記庫内に配置され、前記庫内の湿度が高くなる方向に遷移する場合に吸湿し、低くなる方向に遷移する場合に放湿する調湿手段と、を有する
ことを特徴とする調湿庫。
【請求項２】
請求項１に記載の調湿庫であって、
前記調湿手段は、アクリレート系ポリマー繊維を含むシート状部材である
ことを特徴とする調湿庫。
【請求項３】
請求項２に記載の調湿庫であって、
前記シート状部材は、前記庫内に貼り付けられている
ことを特徴とする調湿庫。
【請求項４】
請求項２または３に記載の調湿庫であって、
前記除湿手段を少なくとも有し
前記除湿手段は、
前記庫内に配置され、内部を前記庫内につなぐ通気口が形成されたハウジングと、
前記ハウジングの内部に収容された除湿剤と、
前記庫内を除湿する場合に前記通気口を開き、前記庫内を除湿しない場合は前記通気口を閉じるシャッタと、を有し、
前記シート状部材は、前記ハウジング内に貼り付けられている
ことを特徴とする調湿庫。
【請求項５】
請求項２または３に記載の調湿庫であって
前記加湿手段を少なくとも有し、
前記加湿手段は、
前記庫内に配置され、内部を前記庫内につなぐ通気口が形成されたハウジングと、
前記ハウジングの内部に収容された加湿剤と、
前記庫内を加湿する場合に前記通気口を開き、前記庫内を加湿しない場合は前記通気口を閉じるシャッタと、を有し、
前記シート状部材は、前記ハウジング内に貼り付けられている
ことを特徴とする調湿庫。
【請求項６】
請求項１ないし５のいずれか一項に記載の調湿庫であって、
前記除湿手段および前記加湿手段の両方を有し、
前記除湿手段による前記庫内の除湿および前記加湿手段による前記庫内の加湿を互いに排他的に実施させる排他制御手段をさらに有し、
前記除湿手段は、
前記庫内の湿度が第一のしきい値以上である場合に前記庫内を除湿し、
前記加湿手段は、
前記庫内の湿度が、前記第一のしきい値より低い第二のしきい値以下である場合に前記庫内を加湿する
ことを特徴とする調湿庫。
【発明の詳細な説明】
【技術分野】
【０００１】
本発明は、高度な湿度管理が要求される保管品を保管するための調湿庫に関する。
【背景技術】
【０００２】
カメラ、電子部品等の精密機器、食品、薬品、弦楽器、掛け軸、古文書等の高度な湿度管理が要求される保管品を保管するための庫内の湿度を管理する調湿庫として、例えば、庫内を除湿する除湿ユニットを備え、庫内の湿度を所定値未満に維持する調湿庫、庫内を加湿する加湿ユニットを備え、庫内の湿度を所定値以上に維持する調湿庫、および、除湿ユニットと加湿ユニットとの両方を備え、庫内の湿度を所定範囲に維持する調湿庫が知られている。
【０００３】
ここで、除湿ユニットおよび加湿ユニットは、庫内に収容されたハウジングと、ハウジング内に収容された乾燥剤と、乾燥剤を加熱するヒータと、ハウジング内および庫内の空気循環を行うための庫内シャッタと、庫外およびハウジング内の空気循環を行うための庫外シャッタと、を備えている。そして、除湿ユニットは、庫内の湿度が所定値（第一のしきい値）以上の場合に、庫内シャッタを開いて庫外シャッタを閉じ、庫内の空気をハウジング内に取り込んで、ハウジング内に収容された乾燥剤で除湿する。また、除湿ユニットは、定期的に、庫内シャッタを閉じて庫外シャッタを開き、ヒータを動作させることにより、乾燥剤を加熱し放湿させて湿気を庫外に排出して、乾燥剤を乾燥させる。一方、加湿ユニットは、庫内の湿度が所定値（第二のしきい値）以下の場合に、庫内シャッタを開いて庫外シャッタを閉じ、ヒータを動作させることにより、乾燥剤を加熱して放湿させ、庫内の空気を加湿する。また、加湿ユニットは、定期的に、庫内シャッタを閉じて庫外シャッタを開き、庫外の空気をハウジング内に取り込んで、ハウジング内に収容された乾燥剤に吸湿させる。
【０００４】
例えば、庫内を除湿する除湿ユニットを備え、庫内の湿度を所定値未満に維持する調湿庫として、特許文献１に記載の自動低湿保管装置がある。
【先行技術文献】
【特許文献】
【０００５】
【特許文献１】特開２００２−１０６８８９号公報
【発明の概要】
【発明が解決しようとする課題】
【０００６】
ところで、従来の調湿庫には、つぎのような問題がある。すなわち、庫内を除湿する除湿ユニットを備え、庫内の湿度を所定値未満に維持する調湿庫においては、乾燥剤の乾燥直後に、庫内の除湿のために庫内シャッタを開いて庫外シャッタを閉じると、シャッタ切り換わりの際に庫外から庫内に湿気が侵入するとともに、ヒータの余熱によって乾燥剤が放湿し、これにより瞬間的に庫内の湿度が上昇して、庫内の湿度が安定しないという問題がある。また、庫内を加湿する加湿ユニットを備え、庫内の湿度を所定値以上に維持する調湿庫においては、乾燥剤の吸湿直後に、庫内の加湿のために庫内シャッタを開いて庫外シャッタを閉じると、シャッタ切り換わりの際に庫外から庫内に乾燥した空気が侵入するとともに、ヒータが十分に加熱されていないために乾燥剤が吸湿し、これにより瞬間的に庫内の湿度が低下して、庫内の湿度が安定しないという問題がある。また、除湿ユニットと加湿ユニットの両方を備え、庫内の湿度を所定範囲に維持する調湿庫においては、除湿ユニットの除湿能力および加湿ユニットの加湿能力が高すぎると、除湿ユニットの除湿により庫内の湿度が急激に低下する一方、加湿ユニットの加湿により庫内の湿度が急激に上昇し、その結果、除湿ユニットによる除湿と加湿ユニットによる加湿とが交互に繰り返され、庫内の湿度が所定範囲内で激しく変動して安定しないという問題がある。また、除湿ユニットおよび加湿ユニットが交互に稼働することにより、調湿庫の運転率が上昇して、消費電力が増大するという問題もある。
【０００７】
本発明は上記事情に鑑みてなされたものであり、その目的は、湿度変動を穏やかにして庫内の湿度を安定させることができ、かつ消費電力を低減させることのできる調湿庫を提供することにある。
【課題を解決するための手段】
【０００８】
上記課題を解決するために、本発明では、除湿ユニットおよび加湿ユニットの少なくとも一方を備えた調湿庫において、庫内の湿度が高くなる方向に遷移する場合に吸湿し、低くなる方向に遷移する場合に放湿する調湿手段を庫内に配置した。この調湿手段は、アクリレート系ポリマー繊維を含む織布あるいは不織布等のシート状部材であることが好ましい。
【０００９】
例えば、本発明は、保管品を保管するための庫内の湿度を管理する調湿庫であって、
前記庫内を除湿する除湿手段および前記庫内を加湿する加湿手段の少なくとも一方と、
前記庫内に配置され、前記庫内の湿度が高くなる方向に遷移する場合に吸湿し、低くなる方向に遷移する場合に放湿する調湿手段と、を有する。
【発明の効果】
【００１０】
本発明によれば、庫内の湿度が高くなる方向に遷移する場合に吸湿し、低くなる方向に遷移する場合に放湿する調湿手段を庫内に配置しているので、除湿ユニットあるいは加湿ユニットでは対応できない庫内の湿度の急激な変動（例えば除湿ユニットあるいは加湿ユニットの動作を原因とする庫内の湿度の急激な変動）を抑制することができ、これにより、庫内の湿度をより安定させることが可能となる。
【図面の簡単な説明】
【００１１】
【図１】図１は、本発明の一実施の形態に係る調湿庫１の概略構成図である。
【図２】図２は、図１に示す除湿ユニット本体３Ａおよび加湿ユニット本体３Ｂの概略断面図である。
【図３】図３は、アクリレート系ポリマーの等温吸湿特性を示す図である。
【図４】図４（Ａ）は、本発明の一実施の形態に係る調湿庫１の湿度制御結果の一例を示す図であり、図４（Ｂ）は、本発明の一実施の形態に係る調湿庫１から調湿シート５を省略した調湿庫の湿度制御結果の一例を示す図である。
【図５】図５は、アクリレート系ポリマーの再生温度特性を示す図である。
【発明を実施するための形態】
【００１２】
以下、本発明の一実施の形態について、図面を参照して説明する。
【００１３】
図１は、本実施の形態に係る調湿庫１の概略構成図である。
【００１４】
本実施の形態に係る調湿庫１は、例えばカメラ、電子部品等の精密機器、食品、薬品、弦楽器、掛け軸、古文書等の高度な湿度管理が要求される保管品を保管するための保管庫である。
【００１５】
図示するように、調湿庫１は、保管品が収容されるボックス型の筺体１５と、保管品を筺体１５の内部（庫内）１０に出し入れするための開閉扉１１と、を備えている。また、調湿庫１は、庫内１０の湿度を、庫外の湿度変化によらず、所定の湿度範囲内で安定に維持するように、さらに、除湿ユニット２Ａと、加湿ユニット２Ｂと、調湿シート５と、を備えている。
【００１６】
除湿ユニット２Ａは、庫内１０の湿度が第一のしきい値（例えば６０％）以上である場合に庫内１０を除湿するものであり、除湿ユニット本体３Ａと、除湿制御盤４Ａと、を有する。また、加湿ユニット２Ｂは、庫内１０の湿度が第一のしきい値より低い第二のしきい値（例えば４０％）以下である場合に庫内１０を加湿するものであり、加湿ユニット本体３Ｂと、加湿制御盤４Ｂと、を有する。
【００１７】
図２は、図１に示す除湿ユニット本体３Ａおよび加湿ユニット本体３Ｂの概略断面図である。
【００１８】
図示するように、除湿ユニット本体３Ａおよび加湿ユニット本体３Ｂは、例えば筺体１５の背面板１２に形成された開口１３を塞ぐように配置される。なお、図２では、除湿ユニット本体３Ａおよび加湿ユニット本体３Ｂを、庫内１０側から開口１３を塞ぐように庫内１０に配置しているが、庫外１４側から開口１３を塞ぐように庫外１４に配置してもよい。除湿ユニット本体３Ａおよび加湿ユニット本体３Ｂは、それぞれ、庫内１０の空気を十分に除湿または加湿できるように庫内１０のスペースに応じて定められた量の加熱再生可能な乾燥剤（例えばゼオライト、シリカゲル）３１と、乾燥剤３１を加熱するためのヒータ３２と、ファン３３と、これら３１〜３３を内部に収容するハウジング３０と、を備えている。
【００１９】
ハウジング３０には、ハウジング３０の内部と庫内１０とをつなぐ庫内側通気口として、庫内１０の空気Ｂ１をハウジング３０内に取り込むための庫内吸気口３４１、３４２と、ハウジング３０内の空気Ｂ２を庫内１０へ排出する庫内排気口３４３、３４４と、が形成されている。また、ハウジング３０の内部と庫外１４とをつなぐ庫外側通気口として、庫外１４の空気Ａ１をハウジング３０内に取り込むための庫外吸気口３４５、３４６と、ハウジング３０内の空気Ａ２を庫外１４へ排出するための庫外排気口３４７、３４８と、が形成されている。ファン３３は、これらの通気口３４１〜３４８を介して、空気を、ハウジング３０の内部と庫内１０または庫外１４との間で強制的に循環させるために駆動される。
【００２０】
また、除湿ユニット本体３Ａおよび加湿ユニット本体３Ｂは、それぞれ、庫内吸気口３４１および庫外吸気口３４５を互いに排他的に開閉するシャッタ３５１と、庫内排気口３４３および庫外排気口３４７を互いに排他的に開閉するシャッタ３５２と、をさらに備えている。ここで、除湿ユニット本体３Ａが非稼働状態の場合、除湿ユニット本体３Ａのシャッタ３５１は、庫内吸気口３４１を開き、庫外吸気口３４５を閉じた状態で停止し、除湿ユニット本体３Ａのシャッタ３５２は、庫内排気口３４３を開き、庫外排気口３４７を閉じた状態で停止するものとする。また、加湿ユニット本体３Ｂが非稼働状態の場合、加湿ユニット本体３Ｂのシャッタ３５１は、庫内排気口３４１を閉じ、庫外排気口３４５を開いた状態で停止し、加湿ユニット本体３Ｂのシャッタ３５２は、庫内排気口３４３を閉じ、庫外排気口３４７を開いた状態で停止するものとする。
【００２１】
除湿ユニット本体３Ａは、後述する除湿制御盤４Ａの制御に従い、ハウジング３０の内部を庫内１０にのみ開放した状態（庫内吸気口３４１：開、庫外吸気口３４５：閉、庫内排気口３４３：開、庫外排気口３４７：閉）で、必要に応じてファン３３を回転させる。これにより、庫内１０内の空気Ｂ１が、ハウジング３０内に取り込まれ、乾燥剤３１により除湿された後、乾いた空気Ｂ２として庫内１０に排出されて、庫内１０が除湿される。また、ハウジング３０の内部を庫外１４にのみ開放した状態（庫内吸気口３４１：閉、庫外吸気口３４５：開、庫内排気口３４３：閉、庫外排気口３４７：開）で、ヒータ３２を動作させて乾燥剤３１を加熱しつつ、必要に応じてファン３３を回転させる。これにより、庫外１４の空気Ａ１が、ハウジング３０内に取り込まれ、ヒータ３２により加熱された乾燥剤３１により加湿された後、湿った空気Ａ２として庫外１４に排出されて、乾燥剤３１が乾燥する。
【００２２】
加湿ユニット本体３Ｂは、後述する加湿制御盤４Ｂの制御に従い、ハウジング３０の内部を庫内１０にのみ開放した状態（庫内吸気口３４１：開、庫外吸気口３４５：閉、庫内排気口３４３：開、庫外排気口３４７：閉）で、ヒータ３２を動作させて乾燥剤３１を加熱しつつ、必要に応じてファン３３を回転させる。これにより、庫内１０内の空気Ｂ１が、ハウジング３０内に取り込まれ、ヒータ３２により加熱された乾燥剤３１により加湿された後、湿った空気Ｂ２として庫内１０に排出されて、庫内１０が加湿される。また、ハウジング３０の内部を庫外１４にのみ開放した状態（庫内吸気口３４１：閉、庫外吸気口３４５：開、庫内排気口３４３：閉、庫外排気口３４７：開）で、必要に応じてファン３３を回転させる。これにより、庫外１４の空気Ａ１が、ハウジング３０内に取り込まれ、乾燥剤３１により除湿された後、乾いた空気Ａ２として庫外１４に排出されて、乾燥剤３１が加湿される。
【００２３】
図１に戻って説明を続ける。
【００２４】
除湿制御盤４Ａは、制御部４０Ａと、湿度センサ４１Ａと、シャッタ駆動部４２Ａと、ファン駆動部４３Ａと、ヒータ駆動部４４Ａと、を備えている。なお、図１では、除湿制御盤４Ａを除湿ユニット本体３Ａの外部に配置しているが、除湿ユニット本体３Ａに内蔵してもよい。
【００２５】
湿度センサ４１Ａは、庫内１０の湿度が第一のしきい値（例えば６０％）以上である場合に、制御部４０Ａに電源６を接続し（オン状態）、第一のしきい値未満の場合に、後述する加湿制御盤４Ｂの湿度センサ４１Ｂに電源６を接続する（オフ状態）。湿度センサ４１Ａには、例えばナイロンリボン式、毛髪式等のアナログ湿度センサが用いられる。なお、ナイロンリボン式、毛髪式等のアナログ湿度センサは、作動点にヒステリシス特性があり、低湿度から高湿度へ遷移するときの作動点（オフ状態からオン状態になるときの湿度）に比べて、高湿度から低湿度に遷移するときの作動点（オン状態からオフ状態になるときの湿度）が２％〜１０数％程度低くなる。
【００２６】
シャッタ駆動部４２Ａは、制御部４０Ａの指示に従い、除湿ユニット本体３Ａのシャッタ３５１、３５２の開閉を制御する。
【００２７】
ファン駆動部４３Ａは、制御部４０Ａの指示に従い、除湿ユニット本体３Ａのファン３３の動作を制御する。
【００２８】
ヒータ駆動部４４Ａは、制御部４０Ａの指示に従い、除湿ユニット本体３Ａのヒータ３２の動作を制御する。
【００２９】
制御部４０Ａは、湿度センサ４１Ａを介して電源６から電力が供給されることにより、除湿ユニット本体３Ａを稼働させる。具体的には、シャッタ駆動部４２Ａに除湿ユニット本体３Ａのシャッタ３５１、３５２の開閉を制御させ、ハウジング３０の内部を庫内１０にのみ開放した状態（庫内吸気口３４１：開、庫外吸気口３４５：閉、庫内排気口３４３：開、庫外排気口３４７：閉）にするとともに、ファン駆動部４３Ａに、必要に応じて除湿ユニット本体３Ａのファン３３を回転させる。また、定期的（例えば６時間毎）に、所定時間（例えば３０分）、シャッタ駆動部４２Ａに除湿ユニット本体３Ａのシャッタ３５１、３５２の開閉を制御させ、ハウジング３０の内部を庫外１４にのみ開放した状態（庫内吸気口３４１：閉、庫外吸気口３４５：開、庫内排気口３４３：閉、庫外排気口３４７：開）にするとともに、ヒータ駆動部４４Ａに除湿ユニット本体３Ａのヒータ３２を動作させて乾燥剤３１を加熱しつつ、ファン駆動部４３Ａに、必要に応じて除湿ユニット本体３Ａのファン３３を回転させる。
【００３０】
加湿制御盤４Ｂは、制御部４０Ｂと、湿度センサ４１Ｂと、シャッタ駆動部４２Ｂと、ファン駆動部４３Ｂと、ヒータ駆動部４４Ｂと、を備えている。なお、図１では、加湿制御盤４Ｂを加湿ユニット本体３Ｂの外部に配置しているが、加湿ユニット本体３Ｂに内蔵してもよい。
【００３１】
湿度センサ４１Ｂは、庫内１０の湿度が第二のしきい値（例えば４０％）以下である場合に、除湿制御盤４Ａの湿度センサ４１Ａを介して接続された電源６を制御部４０Ｂに接続し（オン状態）、第二のしきい値より大きい場合に、電源６と制御部４０Ｂとの接続を切断する（オフ状態）。湿度センサ４１Ｂには、湿度センサ４１Ａと同様に、例えばナイロンリボン式、毛髪式等のアナログ湿度センサが用いられる。上述したように、ナイロンリボン式、毛髪式等のアナログ湿度センサは、作動点にヒステリシス特性があり、低湿度から高湿度へ遷移するときの作動点（オン状態からオフ状態になるときの湿度）に比べて、高湿度から低湿度に遷移するときの作動点（オフ状態からオン状態になるときの湿度）が２％〜１０数％程度低くなる。
【００３２】
シャッタ駆動部４２Ｂは、制御部４０Ｂの指示に従い、加湿ユニット本体３Ｂのシャッタ３５１、３５２の開閉を制御する。
【００３３】
ファン駆動部４３Ｂは、制御部４０Ｂの指示に従い、加湿ユニット本体３Ｂのファン３３の動作を制御する。
【００３４】
ヒータ駆動部４４Ｂは、制御部４０Ｂの指示に従い、加湿ユニット本体３Ｂのヒータ３２の動作を制御する。
【００３５】
制御部４０Ｂは、湿度センサ４１Ｂを介して電源６から電力が供給されることにより、加湿ユニット本体３Ｂを稼働させる。具体的には、シャッタ駆動部４２Ｂに、加湿ユニット本体３Ｂのシャッタ３５１、３５２の開閉を制御させ、ハウジング３０の内部を庫内１０にのみ開放した状態（庫内吸気口３４１：開、庫外吸気口３４５：閉、庫内排気口３４３：開、庫外排気口３４７：閉）にするとともに、ヒータ駆動部４４Ｂに加湿ユニット本体３Ｂのヒータ３２を動作させて乾燥剤３１を加熱しつつ、ファン駆動部４３Ｂに、必要に応じて加湿ユニット本体３Ｂのファン３３を回転させる。また、定期的（例えば３時間毎）に、所定時間（例えば１時間）、シャッタ駆動部４２Ｂに加湿ユニット本体３Ｂのシャッタ３５１、３５２の開閉を制御させて、ハウジング３０の内部を庫外１４にのみ開放した状態（庫内吸気口３４１：閉、庫外吸気口３４５：開、庫内排気口３４３：閉、庫外排気口３４７：開）にするとともに、ファン駆動部４３Ａに、必要に応じて加湿ユニット本体３Ｂのファン３３を回転させる。
【００３６】
調湿シート５は、アクリレート系ポリマー繊維を含む織布あるいは不織布等のシート状部材であり、庫内１０の内壁の少なくとも一部（天井、側壁、棚等の庫内の平面部）に貼り付けられている。アクリレート系ポリマー繊維は、周囲湿度が高くなる方向に遷移する場合に吸湿し、低くなる方向に遷移する場合に放湿する特徴を有する。
【００３７】
図３は、アクリレート系ポリマーの等温吸湿特性を示す図である。ここでは、比較対象としてゼオライトの等温吸湿特性を、アクリレート系ポリマーの等温吸湿特性とともに示しており、グラフ５０がアクリレート系ポリマーの等温吸湿特性であり、グラフ５１がゼオライトの等温吸湿特性である。また、図３において、横軸は相対湿度（％）であり、縦軸は吸湿率（％）である。吸湿率は、試験対象（アクリレート系ポリマー、ゼオライト）の乾燥重量に対する吸湿による増加重量の割合を表している。
【００３８】
図示するように、ゼオライトは、相対湿度２０％以上では、相対湿度に関わらず略一定の吸湿率（２２％前後）を有している。一方、アクリレート系ポリマーは、相対湿度２０％で吸湿率１０％程度であるのに対し、相対湿度７０％で吸湿率５０％以上であり、相対湿度が高くなるほど吸湿率も高くなる。このため、相対湿度が高くなる方向に遷移する場合に吸湿し、低くなる方向に遷移する場合に放湿する。
【００３９】
このようなアクリレート系ポリマー繊維として、東洋紡株式会社のモイスファイン（登録商標）、帝人株式会社のベルアオシス（登録商標）等がある。
【００４０】
上記構成の調湿庫１において、除湿制御盤４Ａは、庫内１０の湿度が第一のしきい値以上になると、湿度センサ４１Ａがオン状態となり、電源６が制御部４０Ａに接続される。これにより、除湿ユニット本体３Ａが稼働して、庫内１０を除湿する。このとき、庫内１０に貼り付けられた調湿シート５の放湿により庫内１０の急激な湿度変化（湿度低下）が抑制され、庫内１０の湿度が緩やかに低減される。また、ヒータ３２の余熱が残る乾燥剤３１の乾燥直後に庫内１０の除湿を開始した場合であっても、ヒータ３２の余熱による乾燥剤３１の放湿に伴う瞬間的な湿度上昇は、庫内１０に貼り付けられた調湿シート５の吸湿により抑制される。
【００４１】
また、除湿制御盤４Ａは、庫内１０の湿度が第一のしきい値（湿度センサ４１Ａとしてナイロンリボン、毛髪式等のアナログ湿度センサを用いている場合は、作動点のヒステリシス特性により第一のしきい値より２％〜１０数％程度低い値となる）未満になると、湿度センサ４１Ａがオフ状態となり、電源６が加湿制御盤４Ｂの湿度センサ４１Ｂに接続される。この状態において、加湿制御盤４Ｂは、庫内１０の湿度が第二のしきい値以下になると、湿度センサ４１Ｂがオン状態となり、電源６が制御部４０Ｂに接続される。これにより、加湿ユニット本体３Ｂが稼働して、庫内１０を加湿する。このとき、庫内１０に貼り付けられた調湿シート５の吸湿により庫内１０の急激な湿度変化（湿度上昇）が抑制され、庫内１０の湿度が緩やかに増加する。また、乾燥剤３１の吸湿直後に庫内１０の加湿を開始したためにヒータ３２の加熱が十分でない状態であっても、継続する乾燥剤３１の吸湿に伴う瞬間的な湿度低下は、庫内１０に貼り付けられた調湿シート５の放湿により抑制される。
【００４２】
以上、本発明の一実施の形態について説明した。
【００４３】
本実施の形態では、庫内１０の湿度が高くなる方向に遷移する場合に、湿度の増加量に応じた量の水分を吸湿し、低くなる方向に遷移する場合に、湿度の低下量に応じた量の水分を放湿する調湿シート５を、庫内１０の内壁の適切な箇所（天井、側壁、棚等の庫内の平面部）に貼り付けている。この調湿シート５による吸湿は、乾燥剤３１に用いているゼオライト、シリカゲル等より遥かに素早く作用する（図３参照）。このため、庫内１０の急激な湿度変化が抑制され、庫内１０の湿度を緩やかに調整して、所定の範囲（第二のしきい値〜第一のしきい値）に安定させることができる。この効果は、定湿保存が必要な重要文化財、古文書等、およびバイオリン等の湿度管理にデリケートな楽器の長期保存に特に有用である。
【００４４】
図４（Ａ）は、本実施の形態に係る調湿庫１の湿度制御結果の一例を示す図であり、図４（Ｂ）は、本実施の形態に係る調湿庫１から調湿シート５を省略した調湿庫の湿度制御結果の一例を示す図である。ここで、乾燥剤３１にはゼオライト、シリカゲル等を用い、湿度センサ４１Ａ、４１Ｂには、ナイロンリボン式アナログ湿度センサを用いている。また、第一のしきい値および第二のしきい値は、それぞれ６０％、４０％に設定している（符号６２、６３）。
【００４５】
図４（Ａ）および図４（Ｂ）に示すように、庫内１０の湿度が上昇して第一のしきい値６２以上になると、除湿制御盤４Ａの湿度センサ４１Ａがオフ状態からオン状態に移行して除湿ユニット本体３Ａが稼働する。これにより庫内１０の除湿が開始され、庫内１０の湿度が低下しはじめる。そして、湿度センサ４１Ａとして用いているナイロンリボン式アナログ湿度センサの作動点のヒステリシス特性により、湿度センサ４１Ａがオン状態からオフ状態に移行する作動点が第一のしきい値６２より低くなるため、庫内１０の湿度が第一のしきい値６２より低くなっても、暫く庫内１０の除湿が続行され、その後、湿度センサ４１Ａがオン状態からオフ状態に移行して庫内１０の除湿が終了する。その結果、庫内１０の湿度が第一のしきい値６２未満となった後も、庫内１０の湿度の低下が続く。
【００４６】
その後、庫内１０の湿度が第二のしきい値６３以下になると、加湿制御盤４Ｂの湿度センサ４１Ｂがオフ状態からオン状態に移行して加湿ユニット本体３Ｂが稼働する。これにより庫内１０の加湿が開始され、庫内１０の湿度が上昇しはじめる。そして、湿度センサ４１Ｂとして用いているナイロンリボン式アナログ湿度センサの作動点のヒステリシス特性により、湿度センサ４１Ｂがオン状態からオフ状態に移行する作動点が第二のしきい値６３より高くなるため、庫内１０の湿度が第二のしきい値６３より高くなっても、暫く加湿が続行されてから、その後、湿度センサ４１Ｂがオン状態からオフ状態に移行して庫内１０の加湿が終了する。その結果、庫内１０の湿度が第二のしきい値６３より高くなった後も、庫内１０の湿度の上昇が続く。
【００４７】
一方、本実施の形態に係る調湿庫１から調湿シート５を省略した調湿庫の場合、除湿ユニット２Ａの除湿および加湿ユニット２Ｂの加湿が庫内１０の湿度に直接影響するため、これらの能力が高いと、図４（Ｂ）に示すように、庫内１０の湿度が所定の範囲（第二のしきい値６３〜第一のしきい値６２）内において急激に上下変動を繰り返して安定しない。また、除湿ユニット２Ａおよび加湿ユニット２Ｂの稼働が短いインターバルで交互に繰り返されるため、調湿庫の運転率が上昇して、消費電力が増大する。
【００４８】
上述したように、本実施の形態に係る調湿庫１の場合、庫内１０の内壁に貼り付けられた調湿シート５が、庫内１０の湿度が高くなる方向に遷移する場合に吸湿し、低くなる方向に遷移する場合に放湿するため、除湿ユニット２Ａの除湿および加湿ユニット２Ｂの加湿による庫内１０の急激な湿度変化が抑制され、図４（Ａ）に示すように、庫内１０の湿度が所定の範囲（第二のしきい値６３〜第一のしきい値６２）内において緩やかに調整される。このため、本実施の形態に係る調湿庫１から調湿シート５を省略した調湿庫とは異なり、除湿ユニット２Ａおよび加湿ユニット２Ｂの稼働が短いインターバルで交互に繰り返されることもないため、調湿庫の運転率が低下し、消費電力が減少する。
【００４９】
また、本実施の形態では、調湿シート５としてアクリレート系ポリマー繊維を含む織布あるいは不織布等のシート状部材を用い、これを庫内１０の内壁の少なくとも一部（天井、側壁、棚等の庫内の平面部）に貼り付けている。このようにすることで、調湿シート５と庫内１０の空気との接触面積を広くすることができ、これにより、庫内１０の急激な湿度変化をより効率的に抑制することができる。なお、調湿シート５と庫内１０の空気との接触面積がさらに広くなるように、調湿シート５を、例えば蛇腹状態に折り曲げて用いてもよい。
【００５０】
また、本実施の形態において、除湿制御盤４Ａの湿度センサ４１Ａは、電源６を制御部４０Ａに接続していないオフ状態の場合にのみ、電源６を加湿制御盤４Ｂの湿度センサ４１Ｂに接続する。このため、除湿ユニット本体３Ａおよび加湿ユニット本体３Ｂが互いに排他的に稼働し、同時に稼働することはない。
【００５１】
上述したように、湿度センサ４１Ａ、４１Ｂとしてナイロンリボン式アナログ湿度センサを用いた場合、ナイロンリボン式アナログ湿度センサの作動点のヒステリシス特性により、低湿度から高湿度へ遷移するときの作動点に比べて、高湿度から低湿度に遷移するときの作動点が２％〜１０数％程度低くなる（高湿度から低湿度に遷移するときの作動点に比べて、低湿度から高湿度へ遷移するときの作動点が２％〜１０数％程度高くなる）。このため、湿度センサ４１Ａ、４１Ｂに対して個別に（独立して）電源６を接続した場合、第一のしきい値と第二のしきい値とを近づけ過ぎると、湿度センサ４１Ａ、４１Ｂの両方がオン状態となって、除湿ユニット本体３Ａおよび加湿ユニット本体３Ｂが同時に稼働して、電力が無駄に消費される可能性がある。しかしながら、本実施の形態では、上記の構成により、除湿ユニット本体３Ａおよび加湿ユニット本体３Ｂが互いに排他的に稼働しているので、そのような事態の発生を防止することができる。その結果、第一のしきい値と第二のしきい値とをより近づけることが可能となり、湿度変動幅を狭くして庫内１０の湿度をより安定させることができる。
【００５２】
なお、本発明は上記の実施の形態に限定されるものではなく、その要旨の範囲内で数々の変形が可能である。
【００５３】
例えば、上記の実施の形態では、調湿シート５を庫内１０の内壁の少なくとも一部（天井、側壁、棚等の庫内の平面部）に貼り付けているが、本発明はこれに限定されない。調湿シート５を庫内１０に配置したものであればよい。例えば、調湿シート５を庫内１０の天井から吊り下げてもよい。また、除湿ユニット本体３Ａおよび加湿ユニット本体３Ｂの少なくとも一方のハウジング３０内に調湿シート５を配置してもよい。
【００５４】
除湿ユニット２Ａにおいて、ヒータ３２の加熱による乾燥剤３１の乾燥直後に、庫内１０の除湿のためにハウジング３０の内部を庫内１０にのみ開放した状態（庫内吸気口３４１：開、庫外吸気口３４５：閉、庫内排気口３４３：開、庫外排気口３４７：閉）にすると、ヒータ３２の余熱によって乾燥剤３１が放湿し続ける場合がある。このような場合、除湿ユニット本体３Ａのハウジング３０の内壁に調湿シート５を貼り付けるなどして、除湿ユニット本体３Ａのハウジング３０内に配置することにより、ヒータ３２の余熱によって乾燥剤３１が放湿した水分を、除湿ユニット本体３Ａのハウジング３０内に配置された調湿シート５が吸湿し、乾燥剤３１の放湿による庫内１０の湿度への影響を効果的に抑制することができる。
【００５５】
また、加湿ユニット本体３Ｂにおいて、乾燥剤３１の吸湿直後に、庫内１０の加湿のためにハウジング３０の内部を庫内１０にのみ開放した状態（庫内吸気口３４１：開、庫外吸気口３４５：閉、庫内排気口３４３：開、庫外排気口３４７：閉）にすると、ヒータ３２が十分に加熱されていないために乾燥剤３１が吸湿し続ける場合がある。このような場合、加湿ユニット本体３Ｂのハウジング３０の内壁に調湿シート５を貼り付けるなどして、加湿ユニット本体３Ｂのハウジング３０内に配置することにより、加湿ユニット本体３Ｂのハウジング３０内に配置された調湿シート５が放湿し、乾燥剤３１の吸湿による庫内１０の湿度への影響を効果的に抑制することができる。
【００５６】
また、除湿ユニット本体３Ａあるいは加湿ユニット本体３Ｂハウジング３０の内壁に調湿シート５を貼り付けることにより、ヒータ３２により加熱された乾燥剤３１の余熱を利用して、調湿シート５を効率的に再生（乾燥）することができる。
【００５７】
図５は、アクリレート系ポリマーの再生温度特性を示す図である。ここでは、比較対象としてゼオライトおよびシリカゲルの再生温度特性を、アクリレート系ポリマーの再生温度特性とともに示しており、グラフ５２がアクリレート系ポリマーの再生温度特性であり、グラフ５３がゼオライトの再生温度特性である。また、図５において、縦軸は再生温度（℃）である。
【００５８】
図示するように、アクリレート系ポリマーは、乾燥剤３１として使用されるゼオライトに比べて、再生温度が低い。このため、ヒータ３２により加熱された乾燥剤３１の余熱を利用して、調湿シート５を効率的に再生することができる。
【００５９】
また、上記の実施の形態では、調湿シート５として、アクリレート系ポリマー繊維を含む織布あるいは不織布等のシート状部材を用いているが、本発明はこれに限定されない。周囲湿度が高くなる方向に遷移する場合に吸湿し、低くなる方向に遷移する場合に放湿する特徴を有するシート状、あるいはその他の形状の部材であればよい。
【００６０】
また、上記の実施の形態では、除湿制御盤４Ａの湿度センサ４１Ａが、電源６を制御部４０Ａに接続していないオフ状態の場合に、電源６を加湿制御盤４Ｂの湿度センサ４１Ｂに接続している。しかし、本発明はこれに限定されない。加湿制御盤４Ｂの湿度センサ４１Ｂが、電源６を制御部４０Ｂに接続していないオフ状態の場合に、電源６を除湿制御盤４Ａの湿度センサ４１Ａに接続するようにしてもよい。この場合でも、除湿ユニット本体３Ａおよび加湿ユニット本体３Ｂが互いに排他的に稼働し、同時に稼働することはない。
【００６１】
また、上記の実施の形態では、湿度センサ４１Ａ、４１Ｂとして、ナイロンリボン式、毛髪式等のアナログ湿度センサを用いた場合を例にとり説明したが、本発明はこれに限定されない。湿度センサ４１Ａ、４１Ｂとして、静電容量式の湿度センサ、抵抗変化式の湿度センサ等を用いてもよい。
【００６２】
また、上記の実施の形態では、除湿ユニット２Ａおよび加湿ユニット２Ｂの両方を備え、庫内１０の湿度を所定範囲（第二のしきい値〜第一のしきい値）に維持する調湿庫１を例にとり説明したが、本発明はこれに限定されない。本発明は、除湿ユニット２Ａのみを備え、庫内１０の湿度を所定値以下に維持する調湿庫にも適用可能であり、また、加湿ユニット２Ｂのみを備え、庫内１０の湿度を所定値以上に維持する調湿庫にも適用可能である。
【００６３】
また、上記の実施の形態において、除湿ユニット本体３Ａおよび加湿ユニット本体３Ｂは、ファン３３を用いてユニット内と庫内１０あるいは庫外１４との間における空気循環を行っているが、本発明はこれに限定されない。自然対流によってユニット内と庫内１０あるいは庫外１４との間における空気循環を行うようにしてもよい。あるいは、ユニット内に酸化金属皮膜抵抗に設けて、これに電流を流して熱を生じさせ、この熱による対流によってユニット内と庫内１０あるいは庫外１４との間における空気循環を行うようにしてもよい。
【符号の説明】
【００６４】
１：調湿庫、  ２Ａ：除湿ユニット、  ２Ｂ：加湿ユニット、  ３Ａ：除湿ユニット本体、  ３Ｂ：加湿ユニット本体、  ４Ａ：除湿制御盤、  ４Ｂ：加湿制御盤、  ５：調湿シート、  ６：電源、  １０：庫内、  １１：開閉扉、  １２：背面板、  １３：開口、  １４：庫外、  １５：筺体、  ３０：ハウジング、  ３１：乾燥剤、  ３２：ヒータ、  ３３：ファン、  ４０Ａ、４０Ｂ：制御部、  ４１Ａ、４１Ｂ：湿度センサ、  ４２Ａ、４２Ｂ：シャッタ駆動部、  ４３Ａ、４３Ｂ：ファン駆動部、  ４４Ａ、４４Ｂ：ヒータ駆動部、  ３４１、３４２：庫内吸気口、  ３４３、３４４：庫内排気口、  ３４５、３４６：庫外吸気口、  ３４７、３４８：庫外排気口、  ３５１、３５２：シャッタ
【図１】
2015108460.tif 000003
【図２】
2015108460.tif 000004
【図３】
2015108460.tif 000005
【図４】
2015108460.tif 000006
【図５】
2015108460.tif 000007